(57)【要約】【課題】透明被膜形成時に、クラックが生成することなく、また、下層に導電層が形成されている場合に、導電層を含めた均一な収縮が起こり、このためクラックが生成することなく、膜強度とともに導電性を向上させる透明被膜を形成することが可能な透明被膜形成用塗布液および該塗布液を利用した透明導電性被膜付基材、該基材を備えた表示装置を提供する。【解決手段】本発明に係る透明被膜形成用塗布液は、（ｉ）テトラアルコキシシランの加水分解物と、（ｉｉ）エポキシ基、アクリル基、ビニル基からなる群から選ばれる少なくとも１種の官能基を有する有機ケイ素化合物の加水分解物とからなるマトリックス前駆体を含み、かつマトリックス前駆体中の（ｉｉ）の割合が固形分として０．５〜５０重量％の範囲にあることを特徴としている。前記マトリックス前駆体は、テトラアルコキシシランと、エポキシ基、アクリル基、ビニル基からなる群から選ばれる少なくとも１種を有する有機ケイ素化合物との混合物の同時加水分解物である。【選択図】　なし【特許請求の範囲】
【請求項１】
（ｉ）テトラアルコキシシランの加水分解物と
（ｉｉ）エポキシ基、アクリル基、ビニル基からなる群から選ばれる少なくとも１種の官能基を有する有機ケイ素化合物の加水分解物とからなるマトリックス前駆体を含み、かつ
マトリックス前駆体中の（ｉｉ）の割合が固形分として０．５〜５０重量％の範囲にあることを特徴とする透明被膜形成用塗布液。
【請求項２】
前記マトリックス前駆体が、テトラアルコキシシランと、エポキシ基、アクリル基、ビニル基からなる群から選ばれる少なくとも１種を有する有機ケイ素化合物との混合物の同時加水分解物であることを特徴とする請求項１に記載の透明被膜形成用塗布液。
【請求項３】
前記マトリックス前駆体が、さらに
（ｉｉｉ）フッ素置換有機基を有する有機ケイ素化合物の加水分解物を含んでなり、
マトリックス前駆体中の（ｉｉｉ）の割合が固形分として０．１〜３０重量％の範囲にあることを特徴とする請求項１または２に記載の透明被膜形成用塗布液。
【請求項４】
前記フッ素置換有機基を有する有機ケイ素化合物の加水分解物が、テトラアルコキシシランとフッ素置換有機基を有する有機ケイ素化合物との混合物の同時加水分解物であることを特徴とする請求項３に記載の透明被膜形成用塗布液。
【請求項５】
基材と、基材上の導電性微粒子を含む透明導電性微粒子層と、該透明導電性微粒子層上に設けられ、該透明導電性微粒子層よりも屈折率が低い透明被膜とからなる透明導電性被膜付基材であって、
透明被膜が請求項１〜４のいずれかに記載の透明被膜形成用塗布液を用いて形成されたことを特徴とする透明導電性被膜付基材。
【請求項６】
請求項５に記載の透明導電性被膜付基材で構成された前面板を備え、透明導電性被膜が該前面板の外表面に形成されていることを特徴とする表示装置。
【発明の詳細な説明】
【０００１】
【発明の技術分野】
本発明は、透明被膜を形成することが可能な透明被膜形成用塗布液および該塗布液を用いて形成された透明被膜を有する透明導電性被膜付基材、該基材を備えた表示装置に関する。
【０００２】
【発明の技術的背景】
従来より、陰極線管、蛍光表示管、液晶表示板などの表示パネルのような透明基材の表面の帯電防止および反射防止を目的として、これらの表面に帯電防止機能および反射防止機能を有する透明被膜を形成することが行われていた。
また、陰極線管などから電磁波が放出されること知られており、従来の帯電防止、反射防止に加えてこれらの電磁波および電磁波の放出に伴って形成される電磁場を遮蔽することが望まれている。
【０００３】
これらの電磁波などを遮蔽する方法の一つとして、陰極線管などの表示パネルの表面に電磁波遮断用の導電性被膜を形成する方法がある。帯電防止用導電性被膜であれば表面抵抗が少なくとも１０８Ω／□程度の表面抵抗を有していれば十分であるのに対し、電磁遮蔽用の導電性被膜では１０２〜１０４Ω／□のような低い表面抵抗を有することが必要であった。
【０００４】
このように表面抵抗の低い導電性被膜を、従来のＳｂドープ酸化錫またはＳｎドープ酸化インジウムのような導電性酸化物を含む塗布液を用いて形成しようとすると、従来の帯電防止性被膜の場合よりも膜厚を厚くする必要があった。しかしながら、導電性被膜の膜厚は、１０〜２００ｎｍ程度にしないと反射防止効果は発現しないため、従来のＳｂドープ酸化錫またはＳｎドープ酸化インジウムのような導電性酸化物では、表面抵抗が低く、電磁波遮断性に優れるとともに、反射防止にも優れた導電性被膜を得ることが困難であるという問題があった。
【０００５】
また、低表面抵抗の導電性被膜を形成する方法の一つとして、Ａｇなどの金属微粒子を含む導電性被膜形成用塗布液を用いて基材の表面に金属微粒子含有被膜を形成することが行われている。この方法では、金属微粒子含有被膜形成用塗布液として、コロイド状の金属微粒子が極性溶媒に分散したものが用いられている。このような塗布液では、コロイド状金属微粒子の分散性を向上させるために、金属微粒子表面がポリビニルアルコール、ポリビニルピロリドンまたはゼラチンなどの有機系安定剤で表面処理されている。しかしながら、このような金属微粒子含有被膜形成用塗布液を用いて形成された導電性被膜は、被膜中で金属微粒子同士が安定剤を介して接触するため、粒界抵抗が大きく、被膜の表面抵抗が低くならないことがあった。このため、製膜後、４００℃程度の高温で焼成して安定剤を分解除去する必要があるが、安定剤の分解除去をするため高温で焼成すると、金属微粒子同士の融着や凝集が起こり、導電性被膜の透明性やへーズが低下するという問題があった。また、陰極線管などの場合は、高温に晒すと劣化してしまうという問題もあった。
【０００６】
また、金属微粒子は前記導電性酸化物と異なり本来光を透過しないために金属微粒子を用いて形成された導電性被膜は導電性被膜中の金属微粒子の密度や膜厚等に依存して透明性が低下する問題もあった。
さらに従来のＡｇ等の金属微粒子を含む透明導電性被膜では、耐塩水性や耐酸化性が低く、金属が酸化されたり、イオン化による粒子成長したり、また場合によっては腐食が発生することがあり、塗膜の導電性や光透過率が低下し、表示装置が信頼性を欠くという問題があった。
【０００７】
本発明者らは、帯電防止性能、電磁波遮蔽性能等を向上させるとともに膜の強度（硬度）やスクラッチ強度等を向上させるために鋭意研究を重ねた結果、マトリックス前駆体が特定の官能基を有する有機ケイ素化合物の加水分解物を含む塗布液を用いて、導電層表面に透明被膜を形成すると、透明被膜形成時にクラックが生成することなく、膜強度が向上するとともに導電性が向上することを見出して本発明を完成するに至った。
【０００８】
【発明の目的】
本発明は、透明被膜形成時に、クラックが生成することなく、また、下層に導電層が形成されている場合に、導電層を含めた均一な収縮が起こり、このためクラックが生成することなく、膜強度とともに導電性を向上させる透明被膜を形成することが可能な透明被膜形成用塗布液および該塗布液を利用した透明導電性被膜付基材、該基材を備えた表示装置を提供することを目的としている。
【０００９】
【発明の概要】
本発明に係る透明被膜形成用塗布液は、
（ｉ）テトラアルコキシシランの加水分解物と
（ｉｉ）エポキシ基、アクリル基、ビニル基からなる群から選ばれる少なくとも１種の官能基を有する有機ケイ素化合物の加水分解物とからなるマトリックス前駆体を含み、かつ
マトリックス前駆体中の（ｉｉ）の割合が固形分として０．５〜５０重量％の範囲にあることを特徴としている。
【００１０】
前記マトリックス前駆体は、テトラアルコキシシランと、エポキシ基、アクリル基、ビニル基からなる群から選ばれる少なくとも１種を有する有機ケイ素化合物との混合物の同時加水分解物であることが好ましい。
前記マトリックス前駆体が、さらに
（ｉｉｉ）フッ素置換有機基を有する有機ケイ素化合物の加水分解物を含んでいてもよく、かかる（ｉｉｉ）の割合がマトリックス前駆体中に固形分として０．１〜３０重量％の範囲にあればよい。
【００１１】
前記フッ素置換有機基を有する有機ケイ素化合物の加水分解物が、テトラアルコキシシランとフッ素置換有機基を有する有機ケイ素化合物との混合物の同時加水分解物が好ましい。
本発明に係る透明導電性被膜付基材は、基材と、基材上の導電性微粒子を含む透明導電性微粒子層と、該透明導電性微粒子層上に設けられ、該透明導電性微粒子層よりも屈折率が低い透明被膜とからなる透明導電性被膜付基材であって、
透明被膜が前記透明被膜形成用塗布液を用いて形成されたことを特徴としている。
【００１２】
本発明に係る表示装置は、前記透明導電性被膜付基材で構成された前面板を備え、透明導電性被膜が該前面板の外表面に形成されていることを特徴としている。
【００１３】
【発明の具体的説明】
以下、本発明について具体的に説明する。
透明被膜形成用塗布液
本発明に係る透明被膜形成用塗布液は、マトリックス前駆体が、
（ｉ）テトラアルコキシシランの加水分解物と
（ｉｉ）エポキシ基、アクリル基、ビニル基からなる群から選ばれる少なくとも１種の官能基を有する有機ケイ素化合物の加水分解物と
からなり、
マトリックス前駆体中の（ｉｉ）の割合が固形分として０．５〜５０重量％の範囲にあることを特徴としている。
【００１４】
テトラアルコキシシランとしてはテトラメトキシシラン、テトラエトキシシラン、テトラプロポキシシラン、テトラブトキシシランなどが挙げられる。
このようなテトラアルコキシシランの加水分解物（ｉ）は、テトラアルコキシシランを、例えば、水−アルコール混合溶媒中で酸触媒の存在下、加水分解することによって得ることができる。
【００１５】
なお、加水分解物は部分加水分解物であっても、加水分解物の縮重合物であってもよい。このようなテトラアルコキシシランの加水分解物としては、従来公知である。
本発明に用いるエポキシ基、アクリル基、ビニル基からなる群から選ばれる少なくとも１種の官能基を有する有機ケイ素化合物としては、γ−グリシドキシプロピルトリメトキシシラン、γ−グリシドキシプロピルメチルジエトキシシラン、γ−グリシドキシプロピルトリエトキシシラン、β−（３，４−エポキシシクロヘキシル）エチルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、ビニルトリメトキシシラン、ビニルトリエトキシシラン、ビニルトリス（β−メトキシエトキシ）シラン等が挙げられる。
【００１６】
これらのエポキシ基、アクリル基、ビニル基からなる群から選ばれる少なくとも１種の官能基を有する有機ケイ素化合物の加水分解物（ｉｉ）も、前記（ｉ）テトラアルコキシシランの加水分解物と同様に、エポキシ基等の官能基を有する有機ケイ素化合物を、例えば、水−アルコール混合溶媒中で酸触媒の存在下、加水分解することによって得ることができる。このような加水分解物は部分加水分解物であっても、加水分解物の縮重合物であってもよく、従来公知の加水分解物を用いることができる。
【００１７】
加水分解物の分子量は５００〜２００００、さらには６００〜１００００の範囲にあることが好ましい。
加水分解物の分子量が５００未満の場合、収縮が大きく、クラックが入り易くなり、加水分解物の分子量が２００００を越えると、基材との密着生が悪く強度が不充分になることがある。
【００１８】
マトリックス前駆体中の（ｉ）の割合が固形分として５０〜９９．５重量％、さらには７０〜９９重量％の範囲にあることが好ましく、マトリックス前駆体中の（ｉｉ）の割合が固形分として０．５〜５０重量％、さらには１〜３０重量％の範囲にあることが好ましい。
このような特定の加水分解物を含むマトリックス前駆体を使用すると、導電性微粒子層表面に透明被膜を形成したときに、クラック生成が少なく、また、導電性に優れた被膜付基材を作成することができる。
【００１９】
このような特性の加水分解物をマトリックス前駆体として含むと、クラック生成が少なく、また、透明被膜を形成したときに、単に導電性微粒子を形成したときに比べて、導電性の高い被膜付き基材を形成できる理由は定かではないものの、このようなマトリックス前駆体は被膜の垂直方向（すなわち厚さ方向）の収縮が大きく、逆に、水平方向（すなわち面方向）の収縮が小さく、このため、縦（厚さ）方向の収縮が支配的になり、被膜形成時の収縮によって、クラックが生成しにくくなると考えられる。
【００２０】
さらに、このような透明被膜は、被膜形成時の収縮が縦方向なので、下層に導電性微粒子層を設けた場合、透明被膜の収縮によって、導電性微粒子層自体も収縮され、導電性微粒子層中の隙間が少なくなり、これによって、導電性微粒子層中に導電性微粒子が密に充填され、導電性も向上するものと考えられる。
このため、透明被膜の厚さを薄くしても、クラックが発生することなく、しかも導電性微粒子層の導電性を高めることが可能な透明被膜を形成することが可能となる。
【００２１】
マトリックス前駆体中の（ｉｉ）の割合が固形分として前記０．５重量％未満の場合は、透明被膜形成時に、水平方向の収縮が大きいためかクラックが生成することがあり、また導電性微粒子層表面に透明被膜を形成する際に、縦方向の収縮が小さいために、導電性の向上効果が不充分となったり、膜硬度の向上効果が不充分となる。
【００２２】
マトリックス前駆体中の（ｉｉ）の割合が固形分として５０重量％を越えると、前記水平方向および縦方向の収縮が減少するために導電性の向上効果が不充分となり、また膜硬度の向上効果も不充分となる。
マトリックス前駆体中の（ｉｉ）の割合が固形分として前記範囲内にあれば、膜厚が同一であれば導電性が向上することから、同一の表面抵抗を有する透明導電性微粒子層としては膜厚を薄くすることができ、経済性が向上するとともに、広い波長領域にわたって反射率が低下し、すなわち視感反射率の低い表示性能に優れた透明導電性被膜付基材を得ることができる。
【００２３】
本発明に用いるマトリックス前駆体は、テトラアルコキシシランとエポキシ基、アクリル基、ビニル基からなる群から選ばれる少なくとも１種の官能基を有する有機ケイ素化合物との混合物の同時加水分解物であることが好ましい。このような混合物の同時加水分解物は、混合物を、例えば水−アルコール混合溶媒中で酸触媒の存在下、加水分解することによって得ることができる。この場合も、加水分解物は部分加水分解物であっても、加水分解物の縮重合物であってもよい。
【００２４】
このような同時加水分解物をマトリックス前駆体として用いると、個々に加水分解物を混合した場合に比べて、よりいっそう膜の収縮が均一に起こるので、膜強度を高めることが可能であり、導電性微粒子層の導電性を高く維持することが可能である。この理由は明確ではないものの、同時加水分解することで、テトラアルコキシシランとエポキシ系有機ケイ素化合物との共重合体が生成しているものと推察される。
【００２５】
なお、同時加水分解物をマトリックス前駆体として用いる場合も、マトリックス前駆体中の（ｉｉ）の割合（すなわち、同時加水分解物中に含まれるエポキシ基、アクリル基、ビニル基からなる群から選ばれる少なくとも１種の官能基を有する有機ケイ素化合物の加水分解物の割合）は、固形分として０．５〜５０重量％、好ましくは１〜４０重量％の範囲にあることが望ましい。
【００２６】
さらに、前記マトリックス前駆体には、（ｉｉｉ）フッ素置換有機基を有する有機ケイ素化合物の加水分解物を含んでいてもよい。フッ素置換有機基を有する有機ケイ素化合物の加水分解物を含む場合、そのマトリックス前駆体中の（ｉｉｉ）の割合が固形分として０．１〜３０重量％、さらには０．５〜２０重量％の範囲にあることが好ましい。
【００２７】
フッ素置換有機基を有する有機ケイ素化合物としては、３，３，３−トリフルオロプロピルトリメトキシシラン、メチル−３，３，３−トリフルオロプロピルジメトキシシラン、ヘプタデカトリフルオロデシルメチルジメトキシシラン、ヘプタデカトリフルオロデシルトリメトキシシラン、ヘプタデカトリフルオロトリメトキシシラン、ｎ−パーフルオロオクチルエチルトリエトキシシラン等が挙げられる。
【００２８】
このようなフッ素置換有機基を有する有機ケイ素化合物の加水分解物（ｉｉｉ）も、フッ素置換有機基を有する有機ケイ素化合物を、例えば、水−アルコール混合溶媒中で酸触媒の存在下、加水分解することによって得ることができる。このような加水分解物は部分加水分解物であっても、加水分解物の縮重合物であってもよく、従来公知の加水分解物を用いることができる。
【００２９】
マトリックス前駆体中の（ｉｉｉ）の割合が固形分として前記下限未満の場合は、耐汚染性（指紋等の付着抑制）、耐水性、スクラッチ強度の向上効果が不充分となる。また、マトリックス前駆体中の（ｉｉｉ）の割合が固形分として前記上限を越えると、膜硬度（鉛筆硬度、スチールウール硬度）が低下することがある。
本発明に用いるマトリックス前駆体（ｉｉｉ）は、テトラアルコキシシランとフッ素置換有機基を有する有機ケイ素化合物との混合物の同時加水分解物であることが好ましい。このような混合物の同時加水分解物は、テトラアルコキシシランとフッ素置換有機基を有する有機ケイ素化合物との混合物を、例えば水−アルコール混合溶媒中で酸触媒の存在下、加水分解することによって得ることができる。この場合も、加水分解物は部分加水分解物であっても、加水分解物の縮重合物であってもよい。
【００３０】
このように成分（ｉ）、（ｉｉ）および（ｉｉｉ）をいずれも含む場合、個別の加水分解物の混合物であっても、（ｉ）と（ｉｉ）の同時加水分解物と、（ｉｉｉ）の加水分解物の混合物であってもよく、また（ｉ）と（ｉｉ）の同時加水分解物と（ｉｉ）と（ｉｉｉ）の同時加水分解物との混合物であっても、（ｉｉ）と（ｉｉｉ）の同時加水分解物と（ｉ）の加水分解物との混合物であってもよく、さらには（ｉ）と（ｉｉ）と（ｉｉｉ）との同時加水分解物であってもよい。
同時加水分解物する際の、全有機ケイ素化合物中のフッ素置換有機基を有する有機ケイ素化合物との量比は、マトリックス前駆体中の（ｉｉｉ）の割合が固形分として０．１〜１０重量％、さらには０．５〜５重量％の範囲となるように用いることが好ましい。
【００３１】
このような同時加水分解物をマトリックス前駆体（ｉｉｉ）として用いると、膜の収縮が均一に起こり、高い導電性向上効果および膜硬度向上効果が得られるとともに、高い耐水性やスクラッチ強度を得ることができる。
このようなフッ素置換有機基を有する有機ケイ素化合物の加水分解物も、フッ素置換有機基を有する有機ケイ素化合物を、例えば、水−アルコール混合溶媒中で酸触媒の存在下、加水分解することによって得ることができる。このような加水分解物は部分加水分解物であっても、加水分解物の縮重合物であってもよく、従来公知の加水分解物を用いることができる。
【００３２】
本発明に係る透明被膜形成用塗布液には、平均粒子径が５〜３００ｎｍ、好ましくは１０〜２００ｎｍの範囲にあり屈折率が１．２８〜１．４２、さらには１．２８〜１．４０の範囲にある低屈折率粒子を含んでいてもよい。
低屈折率粒子の屈折率が前記範囲内にあれば、得られる透明導電性被膜付基材は、ボトム反射率および視感反射率が低く、優れた反射防止性能を発揮することができる。
【００３３】
低屈折率粒子の使用量は、透明被膜中の低屈折率粒子の含有量が固形分に換算して、１０〜９０重量％、好ましくは２０〜８０重量％の範囲となるように用いることが望ましい。
このような低屈折率粒子としては、平均粒子径および屈折率が上記範囲にあれば特に制限はなく従来公知の粒子を用いることができる。例えば本願出願人の出願による特開平７−１３３１０５号公報に開示した複合酸化物ゾル、ＷＯ００／３７３５９号公報に開示した被覆層を有する多孔質の複合酸化物粒子は好適に用いることができる。
【００３４】
さらにまた、本発明の透明被膜形成用塗布液には、フッ化マグネシウムなどの低屈折率材料で構成された微粒子、透明被膜の透明度および反射防止性能を阻害しない程度に少量の導電性微粒子および／または染料または顔料などの添加剤が含まれていてもよい。
本発明では、このような透明被膜形成用塗布液を塗布して形成した被膜を、乾燥時、または乾燥後に、１５０℃以上で加熱するか、未硬化の被膜に可視光線よりも波長の短い紫外線、電子線、Ｘ線、γ線などの電磁波を照射するか、あるいはアンモニアなどの活性ガス雰囲気中に晒してもよい。このようにすると、被膜形成成分の硬化が促進され、得られる透明被膜の硬度が高くなる。
【００３５】
透明導電性被膜付基材
次に、本発明に係る透明導電性被膜付基材について具体的に説明する。
本発明に係る透明導電性被膜付基材では、ガラス、プラスチック、セラミックなどからなるフィルム、シートあるいはその他の成形体などの基材上に、平均粒子径が１〜２００ｎｍの導電性微粒子からなる透明導電性微粒子層と、該透明導電性微粒子層上に該透明導電性微粒子層よりも屈折率が低い透明被膜が形成されてなり、該透明被膜が前記透明被膜形成用塗布液から形成されている。
【００３６】
透明導電性微粒子層
［導電性微粒子］
本発明に用いる導電性微粒子としては、得られる透明導電性被膜の表面抵抗が概ね１０２〜１０８Ω／□の範囲にあれば特に制限はなく従来公知の導電性微粒子を用いることができる。
【００３７】
導電性微粒子としては、酸化錫、Ｓｂ、ＦまたはＰがドーピングざれた酸化錫、酸化インジウム、ＳｎまたはＦがドーピングされた酸化インジウム、酸化アンチモン、低次酸化チタンなどの酸化物系導電性微粒子が挙げられる。
酸化物系導電性微粒子は、平均粒子径が１〜２００ｎｍ、好ましくは２〜１５０ｎｍの範囲にあることが好ましい。
【００３８】
平均粒子径が１ｎｍ未満の場合は、粒子が小さすぎて凝集する傾向があり、また粒子層の表面抵抗が急激に大きくなるため、本発明の目的を達成しうる程度の低抵抗値を有する被膜を得ることができないことがある。また、平均粒子径が２００ｎｍを越えると、粒子が大きいために粒子同士の接点が減少し充分な導電性が得られないことがあり。また膜強度や基材との密着性が低下したり、得られる透明導電性被膜のヘーズが高くなることがある。
【００３９】
また、導電性微粒子として、従来公知の金属微粒子を用いることができ、この金属微粒子は単一成分からなる金属微粒子であってもよく、２種以上の金属成分を含む複合金属微粒子であってもよい。
具体的には、Ａｕ、Ａｇ、Ｐｄ、Ｐｔ、Ｒｈ、Ｒｕ、Ｃｕ、Ｆｅ、Ｎｉ、Ｃｏ、Ｓｎ、Ｔｉ、Ｉｎ、Ａｌ、Ｔａ、Ｓｂなどの金属から選ばれる少なくとも１種または２種以上の金属からなる金属微粒子等が挙げられる。
【００４０】
また、金属微粒子を構成する好ましい２種以上の金属の組合せとしては、Ａｕ−Ｃｕ、Ａｇ−Ｐｔ、Ａｇ−Ｐｄ、Ａｕ−Ｐｄ、Ａｕ−Ｒｈ、Ｐｔ−Ｐｄ、Ｐｔ−Ｒｈ、Ｆｅ−Ｎｉ、Ｎｉ−Ｐｄ、Ｆｅ−Ｃｏ、Ｃｕ−Ｃｏ、Ｒｕ−Ａｇ、Ａｕ−Ｃｕ−Ａｇ、Ａｇ−Ｃｕ−Ｐｔ、Ａｇ−Ｃｕ−Ｐｄ、Ａｇ−Ａｕ−Ｐｄ、Ａｕ−Ｒｈ−Ｐｄ、Ａｇ−Ｐｔ−Ｐｄ、Ａｇ−Ｐｔ−Ｒｈ、Ｆｅ−Ｎｉ−Ｐｄ、Ｆｅ−Ｃｏ−Ｐｄ、Ｃｕ−Ｃｏ−Ｐｄなどが挙げられる。
【００４１】
金属微粒子の平均粒径は、１〜２００ｎｍ、好ましくは２〜７０ｎｍの範囲にあることが望ましい。このような粒径の範囲にあると、形成された導電層は透明となる。また、金属微粒子の平均粒径が２００ｎｍを越えると、金属による光の吸収が大きくなり、粒子層の光透過率が低下するとともにへーズが大きくなる。このため被膜付基材を、たとえば陰極線管の前面板として用いると、表示画像の解像度が低下することがある。また、金属微粒子の平均粒径が１ｎｍ未満の場合には粒子層の表面抵抗が急激に大きくなるため、本発明の目的を達成しうる程度の低抵抗値を有する被膜を得ることができないこともある。
【００４２】
このような導電性微粒子層は、導電性被膜形成用塗布液を使用して作製することができる。
導電性被膜形成用塗布液は、上記導電性微粒子と極性溶媒とを含んでいる。
導電性被膜形成用塗布液に用いられる極性溶媒としては、水；メタノール、エタノール、ｎ−プロピルアルコール、ｉ−プロピルアルコール、ブタノール、ジアセトンアルコール、フルフリルアルコール、テトラヒドロフルフリルアルコール、エチレングリコール、ヘキシレングリコールなどのアルコール類；酢酸メチルエステル、酢酸エチルエステルなどのエステル類；ジエチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、イソプロピルグリコールなどのエーテル類；アセトン、メチルエチルケトン、アセチルアセトン、アセト酢酸エステルなどのケトン類などが挙げられる。これらは単独で使用してもよく、また２種以上混合して使用してもよい。
【００４３】
なお、酸化物系導電性微粒子を含む塗布液を使用すると、帯電防止効果、電磁波遮蔽効果が発現する１０２〜１０８Ω／□程度の表面抵抗を有する透明導電性層を形成することができる。酸化物系導電性微粒子を使用して導電層を形成する場合、導電性被膜形成用塗布液中の酸化物系導電性微粒子の濃度は、０．２〜５重量％、好ましくは１〜５重量％の量で含まれていることが望ましい。
【００４４】
導電性被膜形成用塗布液中の酸化物系導電性微粒子の量が前記下限未満の場合は、得られる被膜の膜厚が薄くなり、このため充分な導電性が得られないことがある。また、酸化物系導電性微粒子が前記上限を越えると、膜厚が厚くなり、膜のヘーズが悪化するとともに外観も悪くなる。
また、酸化物形導電性微粒子の代わりに金属微粒子を含む塗布液を使用すると、電磁波遮蔽効果が発現される１０２〜１０３Ω／□程度の表面抵抗を有する透明導電性層を形成することができる。金属微粒子を使用して電磁遮蔽用の導電層を形成する場合、金属微粒子は、導電性被膜形成用塗布液中の金属微粒子の濃度が０．０５〜５重量％、好ましくは０．１〜２重量％の量で含まれていることが望ましい。
【００４５】
導電性被膜形成用塗布液中の金属微粒子の量が、０．０５重量％未満の場合は、得られる被膜の膜厚が薄くなり、このため充分な導電性が得られないことがある。また、金属微粒子が５重量％を越えると、膜厚が厚くなり、光透過率が低下して透明性が悪化するとともに外観も悪くなる。
さらに、導電性被膜形成用塗布液には、必要に応じて、着色剤、マトリックス前駆体、有機系安定剤等を含んでいてもよい。
【００４６】
また着色剤としては、微粒子カーボンブラック、チタンブラック、染料、顔料などが挙げられ、このような着色剤が含まれているとコントラストに優れた表示装置を得ることができる。
さらに、導電性被膜形成用塗布液には、マトリックス前駆体が含まれていてもよい。このようなマトリックス前駆体としては、シリカからなるものが好ましく、具体的には、アルコキシシランなどの有機ケイ素化合物の加水分解重縮合物またはアルカリ金属ケイ酸塩水溶液を脱アルカリして得られるケイ酸重縮合物、あるいは塗料用樹脂などが挙げられる。このマトリックス形成成分は、固形分として導電性微粒子１重量部当たり、０．０１〜０．５重量部、好ましくは０．０３〜０．３重量部の量で含まれていればよい。このようなマトリックス前駆体は被膜形成後の導電性微粒子のバインダーとして作用する。
【００４７】
有機系安定剤としては、ゼラチン、ポリビニルアルコール、ポリビニルピロリドン、シュウ酸、マロン酸、コハク酸、グルタール酸、アジピン酸、セバシン酸、マレイン酸、フマル酸、フタル酸、クエン酸などの多価カルボン酸およびその塩、複素環化合物あるいはこれらの混合物などが挙げられる。
このような有機系安定剤は、特に金属微粒子を含む場合に有効で、金属微粒子１重量部に対し、０．００５〜０．５重量部、好ましくは０．０１〜０．２重量部含まれていればよい。有機系安定剤の量が０．００５重量部未満の場合は充分な金属微粒子の分散性が得られず、０．５重量部を超えて高い場合は導電性が阻害されることがある。
【００４８】
透明導電性微粒子層は、上記透明導電性被膜形成用塗布液を基材上に塗布し・乾燥して、透明導電性微粒子層を基材上に形成する。
透明導電性微粒子層を形成する方法としては、たとえば、透明導電性被膜形成用塗布液をディッピング法、スピナー法、スプレー法、ロールコーター法、フレキソ印刷法などの方法で、基材上に塗布したのち、常温〜約９０℃の範囲の温度で乾燥する。
【００４９】
透明導電性被膜形成用塗布液中に上記のようなマトリックス前駆体が含まれている場合には、マトリックス前駆体の硬化処理を行ってもよい。
例えば、透明導電性被膜形成用塗布液を塗布して形成した被膜を、乾燥時、または乾燥後に、１５０℃以上で加熱するか、未硬化の被膜に可視光線よりも波長の短い紫外線、電子線、Ｘ線、γ線などの電磁波を照射するか、あるいはアンモニアなどの活性ガス雰囲気中に晒してもよい。このようにすると、被膜形成成分の硬化が促進され、得られる被膜の硬度が高くなる。
【００５０】
上記のような方法によって形成された透明導電性微粒子層の膜厚は５〜２００ｎｍ、さらには１０〜１５０ｎｍの範囲が望ましく、この範囲の膜厚であれば帯電防止性および電磁遮蔽性に優れた透明導電性被膜付基材を得ることができる。透明導電性微粒子層の膜厚が５ｎｍ未満の場合は、前記透明被膜形成用塗布液を用いて透明被膜を形成しても、透明導電性微粒子層の収縮余地が小さいために、前記した導電性の向上効果、膜硬度の向上効果が充分得られないことがある。
【００５１】
透明導電性微粒子層の膜厚が２００ｎｍを越えると、光透過率が低下したり、膜にボイドができやすくなりヘーズが高くなることがある。
透明被膜
本発明に係る透明導電性被膜付基材では、前記透明導電性微粒子層の上に、前記透明導電性微粒子層よりも屈折率の低い透明被膜が形成されている。
【００５２】
透明被膜は、前記透明被膜形成用塗布液をディッピング法、スピナー法、スプレー法、ロールコーター法、フレキソ印刷法などの湿式薄膜形成方法により塗布し必要に応じて乾燥することで形成される。
このときの透明被膜の膜厚は、５０〜３００ｎｍ、好ましくは８０〜２００ｎｍの範囲にあることが好ましい。
【００５３】
透明被膜の膜厚が前記範囲上限を越えると、膜にクラックが発生したり、膜の強度が低下したりすることがあり、また膜が厚すぎて反射防止性能が不充分となることがある。また透明被膜の膜厚が前記下限未満の場合は、膜の強度や反射防止性能が劣ることがある。
このような透明被膜形成用塗布液を塗布して形成した透明被膜は、前記したように、乾燥時、または乾燥後に、１５０℃以上で加熱するか、未硬化の被膜に可視光線よりも波長の短い紫外線、電子線、Ｘ線、γ線などの電磁波を照射するか、あるいはアンモニアなどの活性ガス雰囲気中に晒してもよい。このようにすると、被膜形成成分の硬化が促進され、得られる透明被膜の硬度が高くなる。
【００５４】
表示装置
本発明に係る透明導電性被膜付基材は、帯電防止、電磁遮蔽に必要な概ね１０２〜１０８Ω／□の範囲の表面抵抗を有し、また透明性に優れるとともに可視光領域および近赤外領域で充分な反射防止性能を有し、表示装置の前面板として好適に用いられる。
【００５５】
本発明に係る表示装置は、ブラウン管（ＣＲＴ）、蛍光表示管（ＦＩＰ）、プラズマディスプレイ（ＰＤＰ）、液晶用ディスプレイ（ＬＣＤ）などのような電気的に画像を表示する装置であり、上記のような透明導電性被膜付基材で構成された前面板を備えている。
従来の前面板を備えた表示装置を作動させると、透明導電性被膜の膜硬度、スクラッチ強度等が不充分であるために傷つきやすく、ヘーズが発生し易いために画面が見にくくなることがあった。
【００５６】
本発明に係る表示装置では、前面板が前記したクラックが無く膜の強度に優れた透明導電性被膜付基材で構成されており、さらに油脂、指紋等が付着しにくく、このため油脂等のふき取り等必要としないので傷の発生もないので表示性能に優れるとともに、帯電を防止したり、電磁波およびこの電磁波の放出に伴って生じる電磁場を効果的に遮蔽したりすることができる。
【００５７】
また、表示装置の前面板で反射光が生じると、この反射光によって表示画像が見にくくなるが、本発明に係る表示装置では、前面板が可視光領域および近赤外領域で充分な反射防止性能を有する透明導電性被膜付基材で構成されているので、このような反射光を効果的に防止することができる。
【００５８】
【発明の効果】
本発明によれば、透明被膜形成用塗布液がマトリックス前駆体として、テトラアルコキシシラン加水分解物とともに、エポキシ系、アクリル基、ビニル基から選ばれる官能基を有する有機ケイ素化合物の加水分解物、必要に応じてフッ素置換有機基含有有機ケイ素化合物の加水分解物を含んでいるので、被膜形成時にクラックが無く、膜の強度や導電性に優れ、さらに耐水性、スクラッチ強度に優れるとともに、指紋等油脂汚れを防止できる透明導電性被膜付基材を形成できる透明被膜形成用塗布液および該塗布液を用いて形成された透明被膜を有する透明導電性被膜付基材、該基材を備えた表示装置を提供することができる。
【００５９】
また、透明被膜は導電性微粒子層よりも屈折率が低いので反射防止性能に優れた透明導電性被膜付基材を提供することができる。
さらに、このような透明導電性被膜付基材を表示装置の前面板として用いれば、帯電防止性能、電磁遮蔽性能に優れるとともに反射防止性能等に優れ、さらに耐久性、耐水性等に優れた表示装置を提供することができる。
【００６０】
【実施例】
以下、本発明を実施例により説明するが、本発明はこれら実施例に限定されるものではない。
【００６１】
【製造実施例】
ａ）導電性微粒子分散液の調製
本実施例および比較例で用いた導電性微粒子の分散液を以下のように調製した。
Ｓｎドープ酸化インジウム（ＩＴＯ）微粒子（Ｐ−１）分散液の調製
硝酸インジウム７９．９ｇを水６８６ｇに溶解して得られた溶液と、錫酸カリウム１２．７ｇを濃度１０重量％の水酸化カリウム溶液に溶解して得られた溶液とを調製し、これらの溶液を、５０℃に保持された１０００ｇの純水に２時間かけて添加した。この間、系内のｐＨを１１に保持した。得られたＳｎドープ酸化インジウム水和物分散液からＳｎドープ酸化インジウム水和物を濾別・洗浄した後、再び水に分散させて固形分濃度１０重量％の金属酸化物前駆体水酸化物分散液を調製した。この分散液を、温度１００℃で噴霧乾燥して金属酸化物前駆体水酸化物粉体を調製した。上記粉体を、窒素ガス雰囲気下、５５０℃で２時間加熱処理した。
【００６２】
これを濃度が３０重量％となるようにエタノールに分散させ、さらに硝酸水溶液でｐＨを３．５に調製した後、この混合液を３０℃に保持しながらサンドミルで０．５時間粉砕してゾルを調製した。次いで、エタノールを加えて濃度２０重量％のＳｎドープ酸化インジウム微粒子（Ｐ−１）分散液を調製した。
得られた導電性金属酸化物粒子（Ｐ−１）については以下のように平均粒子径を測定した。
【００６３】
結果を表１に示す。
導電性微粒子についてはＴＥＭ写真を撮影し２０個の粒子について粒子径を測定し、この平均値を平均粒子径として表１に示す。
Ｓｂドープ酸化錫（ＡＴＯ）微粒子（Ｐ−２）分散液の調製
塩化錫５７．７ｇと塩化アンチモン７．０ｇとをメタノール１００ｇに溶解して溶液を調製した。調製した溶液を４時間かけて、９０℃、攪拌下の純水１０００ｇに添加して加水分解を行い、生成した沈殿を濾別・洗浄した後、再び水に分散させて固形分濃度１０重量％の金属酸化物前駆体水酸化物分散液を調製した。この分散液を、温度１００℃で噴霧乾燥して金属酸化物前駆体水酸化物粉体を調製した。上記粉体を、窒素ガス雰囲気下、５５０℃で２時間加熱処理した。この粉末３０ｇを水酸化カリウム水溶液（ＫＯＨとして３．０ｇ含有）７０ｇに加え、混合液を３０℃に保持しながらサンドミルで、３時間粉砕してゾルを調製した。次いでこのゾルをイオン交換樹脂処理して、脱アルカリし、純水を加えて濃度２０重量％のＳｂドープ酸化錫微粒子（Ｐ−２）分散液を調製した。平均粒子径を測定し結果を表に示した。
【００６４】
銀パラジウム合金微粒子（Ｐ−３）の分散液の調製
純水１００ｇに、あらかじめクエン酸３ナトリウムを得られる合金微粒子１重量部当たり０．０１重量部となるように加え、これに金属換算で濃度が１０重量％となり、銀とパラジウムの重量比が８：２となるように硝酸銀および硝酸パラジウム水溶液を加え、さらに硝酸銀および硝酸パラジウムの合計モル数と等モル数の硫酸第一鉄の水溶液を添加し、窒素雰囲気下で１時間攪拌して銀パラジウム合金微粒子の分散液を得た。得られた分散液は遠心分離器により水洗して不純物を除去した後、水に分散させて濃度４重量％の銀パラジウム合金微粒子（Ｐ−３）の分散液を調製した。銀パラジウム合金微粒子の平均粒子径は８ｎｍであった。
【００６５】
【実施例１】
透明導電性被膜形成用塗布液（Ｃ−１）の調製
上記で得た微粒子（Ｐ−１）分散液とエタノール／ｎ−プロパノール／エチルセロソルブ／イソプロピルグリコール／ジアセトンアルコール（６８：１２：８：８：４重量比）の混合溶媒とを混合し導電性微粒子濃度が３．５重量％の透明導電性被膜形成用塗布液（Ｃ−１）を調製した。
【００６６】
透明被膜形成用塗布液（Ｂ−１）の調製
テトラアルコキシシランとして正珪酸エチル（ＳｉＯ２：２８．８重量％）３１．３ｇ、エポキシ系有機ケイ素化合物としてγ−グリシドキシプロピルトリメトキシシラン（信越化学（株）製：ＫＢＭ−４０３）を３．９ｇ、エタノール３１．９ｇの混合溶液に、濃塩酸１．０ｇおよび純水３１．９ｇの混合溶液を６０℃で２時間攪拌して固形分濃度１１．６重量％のマトリックス前駆体を含む混合溶液（Ｍ−１）を調製した。
【００６７】
次いで、混合溶液（Ｍ−１）に、エタノール／ｎ−プロパノール／エチルセロソルブ／イソプロピルグリコール／ジアセトンアルコール（７２：１２：６：６：４重量比）の混合溶媒を加えて固形分濃度１．５重量％の透明被膜形成用塗布液（Ｂ−１）を調製した。
透明導電性被膜付パネルガラスの製造
ブラウン管用パネルガラス（１７”）の表面を４０℃で保持しながら、スピナー法で１００ｒｐｍ、９０秒の条件で上記透明導電性被膜形成用塗布液（Ｃ−１）を塗布し乾燥した。このときの導電層の膜厚を測定し、結果を表に示した。
【００６８】
次いで、このようにして形成された透明導電性微粒子層上に、同じように、スピナー法で１００ｒｐｍ、９０秒の条件で透明被膜形成用塗布液（Ｂ−１）を塗布・乾燥し、１６０℃で３０分間焼成して透明導電性被膜付基材を得た。このときの透明被膜の膜厚は５０ｎｍとなるように形成した。
これらの透明導電性被膜付基材の表面抵抗を表面抵抗計（三菱油化（株）製：ＬＯＲＥＳＴＡ）で測定し、ヘーズをへーズコンピューター（日本電色（株）製：３０００Ａ）で測定した。反射率は反射率計（大塚電子（株）製：ＭＣＰＤ−２０００）を用いて測定し、波長４００〜７００ｎｍの範囲で反射率が最も低い波長での反射率をボトム反射率とし、波長４００〜７００ｎｍの平均反射率を視感反射率として求め、結果を表１に示した。
【００６９】
また、消しゴム硬度、スクラッチ硬度および指紋付着性を評価し、結果を表１に示した。
消しゴム硬度
透明導電性被膜付基材の透明被膜上に消しゴム（ライオン（株）製：１Ｋ）をセットし、１±０．１Ｋｇの荷重をかけ、約２５ｍｍのストロークで２５往復させた。このとき発生する削り屑は、その都度高圧エアーで除去した。
【００７０】
消しゴムを２５往復させた後、１０００ルックスの照明下で、透明被膜表面から４５ｃｍ離れて表面の目視観察を行った。
Ａ：引っ掻き傷が全く観察されない。
Ｂ：蛍光灯下で反射色が変化（紫色から赤色へ）。
Ｃ：蛍光灯下で反射色がなく傷が観察される。
【００７１】
Ｄ：下地（基材）が見える。
スクラッチ硬度
透明導電性被膜付基材の透明被膜上に標準試験針（（株）ロックウェル製：硬度ＨＲＣ−６０、ψ：０．５ｍｍ）をセットし、１±０．３Ｋｇの荷重をかけ、３０〜４０ｍｍのストロークで掃引した。掃引した後、１０００ルックス照明下、被膜表面から４５ｃｍ離れて表面の観察を行った。
【００７２】
Ａ：引っ掻き傷が全く観察されない。
Ｂ：断続的に筋条傷が観察される。
Ｃ：浅く連続した筋条傷が観察される。
Ｄ：明瞭に連続した筋条傷が観察される。
指紋付着性
透明導電性被膜付基材の透明被膜表面に指を強く押しつけて指紋を付着させた。次いで、乾いた布で５回拭いた後、膜の色目変化を目し観察し、以下の基準で評価して結果を表１に示した。
【００７３】
○：色の変化が認められない。（指紋が付着してないか、容易に除去できた。）
△：色の変化が僅かに認められる。
×：色の変化が明らかに認められる。（干渉色が認められる。）
【００７４】
【実施例２】
透明被膜形成用塗布液（Ｂ−２）の調製
実施例１において、エポキシ系有機ケイ素化合物としてγ−グリシドキシプロピルトリメトキシシラン（信越化学（株）製：ＫＢＭ−４０３）を０．８ｇ用いた以外は同様にして透明被膜形成用塗布液（Ｂ−２）を調製した。
透明導電性被膜付パネルガラスの製造
実施例１と同様にして透明導電性被膜形成用塗布液（Ｃ−１）を塗布し乾燥した。
【００７５】
次いで、透明導電性微粒子層上に、同じように、スピナー法で１００ｒｐｍ、９０秒の条件で透明被膜形成用塗布液（Ｂ−２）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示した。
【００７６】
【実施例３】
透明被膜形成用塗布液（Ｂ−３）の調製
実施例１において、エポキシ系有機ケイ素化合物としてγ−グリシドキシプロピルトリメトキシシラン（信越化学（株）製：ＫＢＭ−４０３）を７．９ｇ用いた以外は同様にして透明被膜形成用塗布液（Ｂ−３）を調製した。
透明導電性被膜付パネルガラスの製造
実施例１と同様にして透明導電性被膜形成用塗布液（Ｃ−１）を塗布し乾燥した。
【００７７】
次いで、透明導電性微粒子層上に、同じように、スピナー法で１００ｒｐｍ、９０秒の条件で透明被膜形成用塗布液（Ｂ−３）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表に示した。
【００７８】
【実施例４】
透明被膜形成用塗布液（Ｂ−４）の調製
実施例１と同様にしてマトリックス前駆体を含む混合溶液（Ｍ−１）を調製した。別途、正珪酸エチル（ＳｉＯ２：２８．８重量％）１７．４ｇ、フッ素置換有機基含有有機ケイ素化合物としてヘプタデカトリフルオロトリメトキシシラン（信越化学（株）製：ＫＢＭ−７８０３）を１．６ｇ、エタノール２５１ｇの混合溶液に、濃硝酸１．０ｇおよび純水４９．９ｇの混合溶液を６０℃で２時間攪拌して固形分濃度２重量％のマトリックス前駆体を含む混合溶液（Ｍ−２）を調製した。
【００７９】
次いで、混合溶液（Ｍ−１）と混合溶液（Ｍ−２）とを混合し、エタノール／ｎ−プロパノール／エチルセロソルブ／イソプロピルグリコール／ジアセトンアルコール（７２：１２：６：６：４重量比）の混合溶媒を加えて透明被膜形成用塗布液（Ｂ−４）を調製した。
透明導電性被膜付パネルガラスの製造
実施例１と同様にして透明導電性被膜形成用塗布液（Ｃ−１）を塗布し乾燥した。
【００８０】
次いで、透明導電性微粒子層上に、同じように、スピナー法で１００ｒｐｍ、９０秒の条件で透明被膜形成用塗布液（Ｂ−４）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示す。
【００８１】
【実施例５】
透明被膜形成用塗布液（Ｂ−５）の調製
実施例４において、フッ素置換有機基含有有機ケイ素化合物としてヘプタデカトリフルオロトリメトキシシラン（信越化学（株）製：ＫＢＭ−７８０３）を８．２ｇ用いた以外は同様にして透明被膜形成用塗布液（Ｂ−５）を調製した。
透明導電性被膜付パネルガラスの製造
実施例１と同様にして透明導電性被膜形成用塗布液（Ｃ−１）を塗布し乾燥した。
【００８２】
次いで、透明導電性微粒子層上に、同じように、スピナー法で１００ｒｐｍ、９０秒の条件で透明被膜形成用塗布液（Ｂ−５）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示す。
【００８３】
【実施例６】
透明導電性被膜形成用塗布液（Ｃ−２）の調製
上記で得た微粒子（Ｐ−２）分散液とエタノール／ｎ−プロパノール／エチルセロソルブ／イソプロピルグリコール／ジアセトンアルコール（６８：１２：８：８：４重量比）の混合溶媒とを混合し導電性微粒子濃度が３．５重量％の透明導電性被膜形成用塗布液（Ｃ−２）を調製した。
透明導電性被膜付パネルガラスの製造
実施例１と同様にして透明導電性被膜形成用塗布液（Ｃ−２）を塗布し乾燥した。
【００８４】
次いで、透明導電性微粒子層上に、同じように、スピナー法で１００ｒｐｍ、９０秒の条件で、実施例１と同様にして調製した透明被膜形成用塗布液（Ｂ−４）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示す。
【００８５】
【実施例７】
透明導電性被膜形成用塗布液（Ｃ−３）の調製
上記で得た微粒子（Ｐ−３）分散液とエタノール／ｎ−プロパノール／エチルセロソルブ／イソプロピルグリコール／ジアセトンアルコール（６８：１２：８：８：４重量比）の混合溶媒とを混合し導電性微粒子濃度が０．３５重量％の透明導電性被膜形成用塗布液（Ｃ−３）を調製した。
透明導電性被膜付パネルガラスの製造
実施例１と同様にして透明導電性被膜形成用塗布液（Ｃ−３）を塗布し乾燥した。
【００８６】
次いで、透明導電性微粒子層上に、同じように、スピナー法で１００ｒｐｍ、９０秒の条件で透明被膜形成用塗布液（Ｂ−４）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示す。
【００８７】
【実施例８】
透明被膜形成用塗布液（Ｂ−８）の調製
実施例４において、フッ素置換有機基含有有機ケイ素化合物としてｎ−パーフルオロオクチルエチルトリエトキシシラン（東レダウコーニングシリコーン（株）製：ＡＹ４３−１５８Ｅ）を１．６ｇ用いた以外は同様にして透明被膜形成用塗布液（Ｂ−８）を調製した。
透明導電性被膜付パネルガラスの製造
実施例１と同様にして透明導電性被膜形成用塗布液（Ｃ−１）を塗布し乾燥した。
【００８８】
次いで、透明導電性微粒子層上に、同じように、スピナー法で１００ｒｐｍ、９０秒の条件で透明被膜形成用塗布液（Ｂ−８）を塗布・乾燥し、１６０℃で３０分間焼成して透明導電性被膜付基材を得た。このときの透明被膜の膜厚は４０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示した。
【００８９】
【実施例９】
透明被膜形成用塗布液（Ｂ−９）の調製
実施例４において、エポキシ系有機ケイ素化合物としてアクリル系のγ−メタクリロキシプロピルトリメトキシシラン（信越化学（株）製：ＫＭＢ−４０３）４．１ｇを用いた以外は同様にして透明被膜形成用塗布液（Ｂ−９）を調製した。
透明導電性被膜付パネルガラスの製造
実施例１と同様にして透明導電性被膜形成用塗布液（Ｃ−１）を塗布し乾燥した。
【００９０】
次いで、透明導電性微粒子層上に、同じように、スピナー法で１００ｒｐｍ、９０秒の条件で透明被膜形成用塗布液（Ｂ−９）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示す。
【００９１】
【実施例１０】
透明被膜形成用塗布液（Ｂ−１０）の調製
テトラアルコキシシランとして正珪酸メチル（ＳｉＯ２：５１重量％）１７．７ｇｇ、エポキシ系有機ケイ素化合物としてγ−グリシドキシプロピルトリメトキシシラン（信越化学（株）製：ＫＢＭ−４０３）を３．９ｇ、エタノール４５．５ｇの混合溶液に、濃塩酸１．０ｇおよび純水３１．９ｇの混合溶液を６０℃で２時間攪拌して固形分濃度１１．６重量％のマトリックス前駆体を含む混合溶液（Ｍ−３）を調製した。
【００９２】
別途、正珪酸メチル（ＳｉＯ２：５１重量％）１０ｇ、フッ素置換有機基含有有機ケイ素化合物としてヘプタデカフルオロデシルトリメトキシシラン（信越化学（株）製：ＫＢＭ−７８０３）を１．６ｇ、エタノール２６３．６ｇの混合溶液に、濃塩酸１．０ｇおよび純水４９．９ｇの混合溶液を６０℃で２時間攪拌してＳｉＯ２濃度１．５重量％のマトリックス前駆体を含む混合溶液（Ｍ−４）を調製した。
【００９３】
次いで、混合溶液（Ｍ−３）と混合溶液（Ｍ−４）とを混合し、エタノール／ｎ−プロパノール／エチルセロソルブ／イソプロピルグリコール／ジアセトンアルコール（７２：１２：６：６：４重量比）の混合溶媒を加えて固形分濃度１．５重量％の透明被膜形成用塗布液（Ｂ−１０）を調製した。
透明導電性被膜付パネルガラスの製造
実施例１と同様にして透明導電性被膜形成用塗布液（Ｃ−１）を塗布し乾燥した。
【００９４】
次いで、透明導電性微粒子層上に、同じように、スピナー法で１００ｒｐｍ、９０秒の条件で透明被膜形成用塗布液（Ｂ−１０）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表に示した。
【００９５】
【実施例１１】
透明被膜形成用塗布液（Ｂ−１１）の調製
実施例１０において、エポキシ系有機ケイ素化合物としてアクリル系のγ−メタクリロキシプロピルトリメトキシシラン（信越化学（株）製：ＫＭＢ−５０３）を４．１ｇ用いた以外は同様にして透明被膜形成用塗布液（Ｂ−１１）を調製した。透明導電性被膜付パネルガラスの製造
実施例１と同様にして透明導電性被膜形成用塗布液（Ｃ−１）を塗布し乾燥した。
【００９６】
次いで、透明導電性微粒子層上に、同じように、スピナー法で１００ｒｐｍ、９０秒の条件で透明被膜形成用塗布液（Ｂ−１１）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示した。
【００９７】
【比較例１】
透明被膜形成用塗布液（ＲＢ−１）の調製
テトラアルコキシシランとして正珪酸エチル（ＳｉＯ２：２８．８重量％）３４．７ｇ、エタノール１３２．４ｇの混合溶液に、濃塩酸１．０ｇおよび純水３１．９ｇの混合溶液を６０℃で２時間攪拌してＳｉＯ２濃度５重量％のマトリックス前駆体を含む混合溶液（ＲＭ−１）を調製した。
【００９８】
次いで、混合溶液（ＲＭ−１）に、エタノール／ｎ−プロパノール／エチルセロソルブ／イソプロピルグリコール／ジアセトンアルコール（７２：１２：６：６：４重量比）の混合溶媒を加えて透明被膜形成用塗布液（ＲＢ−１）を調製した。
透明導電性被膜付パネルガラスの製造
実施例１と同様にして透明導電性被膜形成用塗布液（Ｃ−１）を塗布し乾燥した。
【００９９】
次いで、透明導電性微粒子層上に、同じように、スピナー法で１００ｒｐｍ、９０秒の条件で透明被膜形成用塗布液（ＲＢ−１）を塗布・乾燥し、１６０℃で３０分間焼成して透明導電性被膜付基材を得た。このときの透明被膜の膜厚は５０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１００】
【比較例２】
透明被膜形成用塗布液（ＲＢ−２）の調製
エポキシ系有機ケイ素化合物としてγ−グリシドキシプロピルトリメトキシシラン（信越化学（株）製：ＫＢＭ−４０３）を３９．４ｇと、エタノール１９３．３ｇの混合溶液に、濃塩酸１．０ｇおよび純水３１．９ｇの混合溶液を５０℃で２４時間攪拌して固形分濃度１０重量％のマトリックス前駆体を含む混合溶液（Ｍ−６）を調製した。
【０１０１】
次いで、混合溶液（Ｍ−６）に、エタノール／ｎ−プロパノール／エチルセロソルブ／イソプロピルグリコール／ジアセトンアルコール（７２：１２：６：６：４重量比）の混合溶媒を加えて固形分濃度１．５重量％の透明被膜形成用塗布液（ＲＢ−２）を調製した。
透明導電性被膜付パネルガラスの製造
実施例１と同様にして透明導電性被膜形成用塗布液（Ｃ−１）を塗布し乾燥した。
【０１０２】
次いで、透明導電性微粒子層上に、同じように、スピナー法で１００ｒｐｍ、９０秒の条件で透明被膜形成用塗布液（ＲＢ−２）を塗布・乾燥し、１６０℃で３０分間焼成して透明導電性被膜付基材を得た。このときの透明被膜の膜厚は４０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１０３】
【比較例３】
透明被膜形成用塗布液（ＲＢ−３）の調製
実施例４と同様にして固形分濃度２重量％のマトリックス前駆体を含む混合溶液（Ｍ−２）を調製した。
次いで、混合溶液（Ｍ−２）にエタノール／ｎ−プロパノール／エチルセロソルブ／イソプロピルグリコール／ジアセトンアルコール（７２：１２：６：６：４重量比）の混合溶媒を加えて透明被膜形成用塗布液（ＲＢ−３）を調製した。
透明導電性被膜付パネルガラスの製造
実施例１と同様にして透明導電性被膜形成用塗布液（Ｃ−１）を塗布し乾燥した。
【０１０４】
次いで、透明導電性微粒子層上に、同じように、スピナー法で１００ｒｐｍ、９０秒の条件で透明被膜形成用塗布液（ＲＢ−３）を塗布・乾燥し、１６０℃で３０分間焼成して透明導電性被膜付基材を得た。このときの透明被膜の膜厚は３０ｎｍとなるように形成した。
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１０５】
【比較例４】
透明導電性被膜付パネルガラスの製造
実施例６と同様にして透明導電性被膜形成用塗布液（Ｃ−２）を塗布し乾燥した。次いで、透明導電性微粒子層上に、同じように、スピナー法で１００ｒｐｍ、９０秒の条件で、比較例１と同様にして得た透明被膜形成用塗布液（ＲＢ−１）を塗布・乾燥し、１６０℃で３０分間焼成して透明導電性被膜付基材を得た。このときの透明被膜の膜厚は３０ｎｍとなるように形成した。
【０１０６】
得られた透明導電性被膜付基材について表面抵抗、ヘーズ、透過率、ボトム反射率、視感反射率および鉛筆硬度、スクラッチ強度、指紋付着性を評価し、結果を表１に示した。
【０１０７】
【比較例５】
透明導電性被膜付パネルガラスの製造
実施例６と同様にして透明導電性被膜形成用塗布液（Ｃ−２）を塗布し乾燥した。
次いで、透明導電性微粒子層上に、同じように、スピナー法で１００ｒｐｍ、９０秒の条件で、比較例２と同様にして得た透明被膜形成用塗布液（ＲＢ−２）を塗布・乾燥し、１６０℃で３０分間焼成して透明導電性被膜付基材を得た。このときの透明被膜の膜厚は３０ｎｍとなるように形成した。
【０１０８】
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１０９】
【比較例６】
透明導電性被膜付パネルガラスの製造
実施例６と同様にして透明導電性被膜形成用塗布液（Ｃ−２）を塗布し乾燥した。次いで、透明導電性微粒子層上に、同じように、スピナー法で１００ｒｐｍ、９０秒の条件で、比較例３と同様にして得た透明被膜形成用塗布液（ＲＢ−３）を塗布・乾燥し、１６０℃で３０分間焼成して透明導電性被膜付基材を得た。このときの透明被膜の膜厚は３０ｎｍとなるように形成した。
【０１１０】
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１１１】
【比較例７】
透明導電性被膜付パネルガラスの製造
実施例７と同様にして透明導電性被膜形成用塗布液（Ｃ−３）を塗布し乾燥した。次いで、透明導電性微粒子層上に、同じように、スピナー法で１００ｒｐｍ、９０秒の条件で、比較例１と同様にして得た透明被膜形成用塗布液（ＲＢ−１）を塗布・乾燥し、１６０℃で３０分間焼成して透明導電性被膜付基材を得た。このときの透明被膜の膜厚は３０ｎｍとなるように形成した。
【０１１２】
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１１３】
【比較例８】
透明導電性被膜付パネルガラスの製造
実施例７と同様にして透明導電性被膜形成用塗布液（Ｃ−３）を塗布し乾燥した。次いで、透明導電性微粒子層上に、同じように、スピナー法で１００ｒｐｍ、９０秒の条件で、比較例２と同様にして得た透明被膜形成用塗布液（ＲＢ−２）を塗布・乾燥し、１６０℃で３０分間焼成して透明導電性被膜付基材を得た。このときの透明被膜の膜厚は３０ｎｍとなるように形成した。
【０１１４】
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１１５】
【比較例９】
透明導電性被膜付パネルガラスの製造
実施例７と同様にして透明導電性被膜形成用塗布液（Ｃ−３）を塗布し乾燥した。次いで、透明導電性微粒子層上に、同じように、スピナー法で１００ｒｐｍ、９０秒の条件で、比較例３と同様にして得た透明被膜形成用塗布液（ＲＢ−３）を塗布・乾燥し、１６０℃で３０分間焼成して透明導電性被膜付基材を得た。このときの透明被膜の膜厚は３０ｎｍとなるように形成した。
【０１１６】
得られた透明導電性被膜付基材について表面抵抗、ヘーズ、透過率、ボトム反射率、視感反射率および消しゴム硬度、スクラッチ硬度、指紋付着性を評価し、結果を表１に示した。
【０１１７】
【表１】
2004083812.tif 000002